(57)【要約】【課題】漏水や水の浸入のおそれがなく浄水フィルタの交換時期の表示を操作できる。【解決手段】浄水装置は、浄水を吐出する吐水管３を備えた水栓本体を有する。水栓本体は吐水管３に連結する通水管３ａを本体１３の内面部１７の中央に固定する。内面部１７の装着面に、略Ｃ字状で弾性を有していて浄水フィルタの交換時期の月Ｍを所定間隔で表示した内側表示部１８を回動可能に装着する。内面部１７に設けた指示部１９に対向する位置に交換時期の月Ｍを係止させ、外管１４を装着して表示窓部２２を通して交換時期の月Ｍを表示する。内面部１７には周方向に９０度間隔で係止突起２０を形成し、外管１４の内周面に係止突起２０と係合する凹部を９０度間隔で形成し、表示窓部２２を適宜の位置に向けて外管１４を装着する。【選択図】図３
2015136638.tif 000002
【特許請求の範囲】
【請求項１】
浄化フィルタの交換時期を表示した表示部を備えた浄水装置であって、
前記表示部は、浄化フィルタの交換時期を表示する内側表示部と、前記内側表示部の外側に装着した表示窓部を有する外装部とを備えており、前記外装部は通水管とは異なる位置に設けたことを特徴とする浄水装置。
【請求項２】
前記外装部は、前記表示窓部の位置を切り換えて装着可能であり、複数の切り換え位置で前記外装部を係止する位置規制部を設けた請求項１に記載された浄水装置。
【請求項３】
前記内側表示部に対して前記外装部を回転させることで前記表示窓部による交換時期の表示を切り替えるようにした請求項１または２に記載された浄水装置。
【請求項４】
前記表示部は、水栓本体の頭部である外装部と内側表示部を備えた本体との接続部に設けた請求項１から３のいずれか１項に記載された浄水装置。
【発明の詳細な説明】
【技術分野】
【０００１】
本発明は、水道水等の原水を浄化フィルタに通して浄水として吐水する浄水装置であって、浄化フィルタの交換時期を表示する表示部を備えた浄水装置に関する。
【背景技術】
【０００２】
従来、浄水装置は浄化フィルタ(カートリッジ)を使用していると浄化能力が次第に低下するため、一定期間ごとに浄化フィルタを交換することが必要である。使用者は浄化フィルタ取り付け後に次の交換時期を忘れてしまうことが多いので、定期的に浄化フィルタを交換するために浄水装置に交換時期を表示することが行われている。交換時期を表示した浄水装置として、例えば特許文献１に記載された浄水装置が提案されている。
【０００３】
特許文献１に記載された浄水装置は、図９に示すように、浄水を吐水する吐水口を設けた吐水ヘッド１０１と浄化フィルタ１０２を収納した本体１０３とを着脱可能に装着している。そして、本体１０３の浄化フィルタ１０２を収納する内筒１０４の表面には交換時期を月で表示する表示１０５が周方向に回転可能に取り付けられている。吐水ヘッド１０１の外嵌部１０６は内筒１０４に装着された状態で浄化フィルタ１０２の上端部と液密に嵌合するように構成されている。しかも、外嵌部１０６の表面には表示１０５に表示された交換時期を目視可能な表示窓１０７が形成されている。
【０００４】
そして、浄化フィルタ１０２を交換すると共に表示１０５の交換時期を指示部に位置合わせし、外嵌部１０６を内筒１０４に装着して周方向に締め込むと、新たに装着した浄化フィルタ１０２の交換時期を表示窓１０７を通して表示できるようになっている。
【先行技術文献】
【特許文献】
【０００５】
【特許文献１】特許第３７７９５６０号公報
【発明の概要】
【発明が解決しようとする課題】
【０００６】
しかしながら、特許文献１に記載された浄水装置では、表示部の表示１０５を取り付けた内筒１０４と表示窓１０７を有する外嵌部１０６とが浄水の通水路を構成しているため、内筒１０４と外嵌部１０６の嵌合部や表示窓１０７を通して外部から水が通水路に侵入することを防止する防水構造をとる必要があった。
また、浄化フィルタ１０２の交換時期を調整する等、表示１０５の操作を行う場合には、外嵌部１０６を内筒１０４から外すことになるが、その場合には通水路を分離することになるため、浄水を確実に止水してから外嵌部１０６を取り外す必要があり、止水が不十分であると外嵌部１０６を外した際に漏水のおそれがあった。
【０００７】
本発明は、このような実情に鑑みてなされたものであり、漏水や水の浸入のおそれがなく浄水フィルタの交換時期の表示を操作できるようにした浄水装置を提供することを目的とする。
【課題を解決するための手段】
【０００８】
本発明による浄水装置は、浄化フィルタの交換時期を表示した表示部を備えた浄水装置であって、表示部は、浄化フィルタの交換時期を表示する内側表示部と、内側表示部の外側に装着した表示窓部を有する外装部とを備えており、前記外装部は通水管とは異なる位置に設けたことを特徴とする。
本発明による浄水装置は、浄水等を吐水するための通水管と異なる位置に設けていることにより通水経路を構成しない外装部を備え、内側表示部を表示窓部を通して表示したので、交換時期を調整したりするために外装部を内側表示部から外しても通水管を分離することがないため漏水のおそれがなく、また外装部を内側表示部に対して回転等させても通水に影響を与えずに浄化フィルタの交換時期の調整や操作を行える。しかも外装部と内側表示部側との嵌合部と通水管とは別個になるため防水機構を設置しなくても外部から水が通水管の通水路に浸入することを防止できる。
【０００９】
また、外装部は、表示窓部の位置を切り換えて装着可能であり、複数の切り換え位置に外装部を係止する位置規制部を設けることが好ましい。
適宜の切り換え位置に表示窓部を位置させて外装部を装着して位置規制部で係止させることで、その表示窓部を通して内側表示部の交換時期を表示できるので、使用者の見やすい位置に表示窓部を位置させることができる。また、位置規制部により装着後の外装部の動きが規制されるため、意図せずに表示窓部の位置を移動させてしまうことを防止できる。
【００１０】
また、内側表示部に対して外装部を回転させることで表示窓部による交換時期の表示を切り替えるようにしてもよい。
本発明では、浄化フィルタの交換時期を表示する内側表示部を設置した状態で、装着状態にある外装部を回転させて表示窓部によって適宜の交換時期を表示することができる。
【００１１】
また、表示部は、水栓本体の頭部である外装部と内側表示部を備えた本体との接続部に設けてもよい。
表示部を浄水装置の水栓本体における頭部と本体との接続部に設けたので、外装部の着脱操作が容易である。  
【発明の効果】
【００１２】
本発明による浄水装置によれば、表示窓部を設けた外装部が通水経路である通水管とは別個に設けられたために、内側表示部側と外装部との嵌合部や表示窓部から通水経路に水が浸入することがなく防水機構を設ける必要がない。しかも、外装部を取り外したり回転等させたりしても通水管から漏水するおそれがなく通水経路とは無関係に交換時期の調整が行える。
【図面の簡単な説明】
【００１３】
【図１】本発明の第一実施形態による浄水装置の要部構成を示す斜視図である。
【図２】浄水装置の表示部を示す拡大図である。
【図３】表示部を構成する内面部と外管を分離した斜視図である。
【図４】水栓本体の本体部における内面部と内側表示部の分解図である。
【図５】外管の内面を示す平面図である。
【図６】第一実施形態による浄水装置の第一変形例を示す側面図である。
【図７】浄水装置の第二変形例を示す側面図である。
【図８】浄水装置の第三変形例を示す側面図である。
【図９】従来の浄水装置の表示部を示す分解斜視図である。
【発明を実施するための形態】
【００１４】
以下、本発明の第一実施形態による浄水装置について図１から図５に基づいて説明する。
図１に示す第一実施形態による浄水装置１は例えばキッチン等に設置して水道に連結した例えば据え置きタイプである。この浄水装置１は水量の調整機構を内蔵した水栓本体２と、水栓本体２から吐出先端側に例えば略円弧状に延びていて浄水を吐出する吐水管３とを備えている。水栓本体２の下方には一次側原水を通水する原水流入管５と、この原水を下方に設置した浄化フィルタ６の入口に通水する原水流出管７と、浄化フィルタ６の出口に通水して浄水を送り出す浄水流出管８とが配列されている。
【００１５】
水栓本体２には、操作部１０として、側部に浄水の吐出量を調整する水量調整用レバー１１が上下方向に回動可能に設置されている。水栓本体２は下側の本体部１３と上側の外管１４とを着脱可能に設けており、外装部である外管１４は吐水管３に沿って取り外し可能とされている。また、図1及び図２に示すように、本体部１３と外管１４との嵌合部に浄化フィルタ６の交換時期を表示する表示部１５が設置されている。
【００１６】
次に表示部１５について、図２〜図５に基づいて説明する。
図３及び図４に示すように、本体部１３には外管１４との装着部に略円筒形状の内面部１７が形成され、その表面に浄化フィルタ６の交換時期を表示する略Ｃ字状の内側表示部１８が装着されている。内面部１７の内側には吐水管３に連結する通水管３ａが挿通され、通水管３ａの外表面には雄ねじ部４が固定されている。
そして、雄ねじ部４が内面部１７の中央に固定されたナット９に螺合されることで、通水管３ａは本体部１３に固定される。しかも、浄水を通水して吐水管３に導く通水管３ａは水栓本体２の内面部１７と外管１４とは別個に形成されているため、外管１４を取り外しても漏水したりせず、内面部１７と外管１４の嵌合部から水が侵入することを防止できる。
【００１７】
内面部１７には、内側表示部１８を装着する外周の装着面１７ａに所定間隔で凸部１７ｂが周方向に形成されており、基準となる凸部１７ｂの上部には指示部１９が形成されている。指示部１９は後述する外管１４の表示窓部２２の選択位置に対応するように所定間隔、例えば９０度間隔で４個形成されている。また、装着面１７ａの上部には周方向に所定間隔、例えば９０度間隔で係止突起２０が突出して形成されている。
【００１８】
一方、内側表示部１８は略Ｃ字状に形成された弾性体であり、その外表面には浄化フィルタ６の交換時期として例えば交換月Ｍが１月から１２月まで周方向に所定間隔で表示されている。また、内側表示部１８の内面には、所定間隔で凹部形状の溝部１８ａが周方向に形成されている。そして、内面部１７の装着面１７ａに内側表示部１８を回動可能に装着して、装着面１７ａの凸部１７ｂと内側表示部１８の溝部１８ａとが係合する任意の位置で停止可能とされている。そのため、内側表示部１８を周方向に回動させて浄化フィルタ６の交換時期となる任意の交換月Ｍを指示部１９に位置合わせして、凸部１７ｂと溝部１８ａとを係合させることができる。
なお、本実施形態では、凸部１７ｂと溝部１８ａは周方向に同一の等間隔または一方を他方の倍数の間隔で形成するものとし、内側表示部１８の溝部１８ａは例えば指示部１９に対して１５度間隔で装着面１７ａの凸部１７ｂに係合できるように周方向に回動可能としている。
【００１９】
また、水栓本体２の内面部１７に装着可能な外管１４は、頂面１４ａを有する円筒状に形成されており、頂面１４ａには吐水管３を挿通する穴１４ｂが形成されている。また、図２に示すように、外管１４の外周面には表示窓部２２が形成され、内側表示部１８のいずれかの表示月Ｍを外側から表示窓部２２を通して目視できる。
【００２０】
しかも、図５に示すように、外管１４の内周面には周方向に所定間隔、例えば９０度間隔で凹部２３が形成されており、外管１４を水栓本体２の内面部１７に装着した状態で、各凹部２３は内面部１７の係止突起２０が嵌合して固定可能としている。そのため、浄水装置１の吐水管３の湾曲方向である吐水方向に対して外管１４を周方向に９０度間隔でずらして水栓本体２の内面部１７に装着することで、表示窓部２２の位置を使用者の好みに応じて選択することができる。また、係止突起２０と凹部２３の間隔は適宜の角度に設定できる。
【００２１】
本実施形態による浄水装置１は上述の構成を備えており、次に浄水装置１の交換時期の設定方法について図１乃至図５により説明する。
まず、図１に示す浄水装置１において、カートリッジタイプの浄化フィルタ６を新しいものに交換し、これに応じて次の交換月を切り替える。そのため、水栓本体２の外管１４を本体部１３から取り外す。このとき、互いに分離した外管１４と本体部１３の内面部１７は浄水の通水管３ａとは別個に形成されているため、水栓本体２の本体部１３から外管１４を取り外しても漏水したりしない。また、外管１４と本体部１３との嵌合部から通水管３ａに水が侵入することがない。
【００２２】
そして、外管１４による表示窓部２２の設置位置を吐水管３側（図１参照）、またはこの位置から９０度ずつ異なる吐水管３側の左右方向位置と吐水管３の裏側位置とのいずれかに設定し、この位置に対応する内面部１７の指示部１９に交換時期の月Ｍを一致させるように略Ｃ字状の内側表示部１８を周回動させ、内面部１７の装着面１７ａの凸部１７ｂに内側表示部１８の溝部１８ａを係止させる。
そして、外管１４の表示窓部２２を交換時期の月Ｍの位置に合わせて本体部１３の内面部１７に嵌合させ、外管１４の各凹部２３を内面部１７の係止突起２０に係合させて固定する。こうして、使用者は好適な向きの表示窓部２２を通して浄化フィルタ６の交換月Ｍを目視確認できる。
【００２３】
上述のように本実施形態による浄水装置１によれば、外管１４と本体部１３の内面部１７は浄水を通水する通水管３ａとは別個に形成されているため、水栓本体２の本体部１３から外管１４を取り外しても浄水が漏水したり、通水管３ａに外部から水が浸入したりすることを防止できる。そのため、外管１４と本体部１３の内面部１７との間に防水構造を形成する必要がなく、通水管３ａの通水経路とは無関係に、外管１４を着脱して内側表示部１８を回転させて交換時期の月Ｍを調整することができる。
また、水栓本体２における表示窓部２２の周方向の位置を設置現場の条件や使用者の好み等によって適宜間隔で選択して、外管１４を本体部１３の内面部１７に装着できる。
【００２４】
なお、本発明による浄水装置は、上述した第一実施形態による浄水装置１に限定されるものではなく、本発明の要旨を逸脱しない範囲で適宜の変更や置換等が可能である。次に本発明の他の実施形態と変形例を説明するが、上述した実施形態で用いた部品や部材等と同一または同様なものは同一の符号を用いて説明を省略する。
【００２５】
本発明の第二実施形態による浄水装置１は、浄化フィルタ６の交換時期を表示する内面部１７において内側表示部１８を装着面１７ａに固定して取り付けた。或いは、第一実施形態と同様に、内側表示部１８を装着面１７ａに沿って回動可能に配設して選択した交換時期の月Ｍを任意の位置に設置してもよい。
そして、内面部１７に装着する外管１４を回転可能に装着して表示窓部２２を周方向に移動させて、内側表示部１８の選択した交換時期の月Ｍを表示窓部２２で表示するようにした。
【００２６】
この場合、内面部１７に設けた係止突起２０に代えて内面部１７の装着面１７ａに設けた凸部１７ｂと内側表示部１８に設けた溝部１８ａと同様に、内面部１７の装着面１７ａにおける内側表示部１８の上部に凸部１７ｂまたは溝部１８ａを形成し、外管１４の内面に溝部１８ａまたは凸部１７ｂをそれぞれ所定間隔で設けて、外管１４を内面部１７に対して周方向に回転可能に取り付け、凸部１７ｂまたは溝部１８ａの間隔に応じて係止させて適宜位置で表示窓部２２を停止させて内側表示部１８の交換時期の月Ｍを表示窓部２２を通して表示することができる。
【００２７】
上述した第二実施形態による浄水装置１では、浄化フィルタ６の交換時期の表示に際し、外管１４を取り外すことなく、内面部１７に装着した状態で周方向に回転させることで適宜の位置に表示窓部２２を位置させることができる。
【００２８】
次に本発明の第一実施形態による浄水装置１の変形例について図６〜図８によって説明する。
図６は第一実施形態による浄水装置１の第一変形例を示すものであり、表示窓部２２を有するリング状の外装部２５とその内側に設けた交換時期の月Ｍを表示した略Ｃ字状の内側表示部（図示せず）とを、水栓本体２の本体部１３と外管１４との嵌合部に代えて、本体部１３と操作部１０との接続部に設けた。この場合には、外装部２５を取り外さずに、装着した状態で回転させることにより交換時期を変更させる方法が適している。
【００２９】
また、図７は第一実施形態による浄水装置１の第二変形例を示すものであり、表示窓部２２を有するスカート状の外装部２６とその内側に設けた交換時期の月Ｍを表示した略Ｃ字状の内側表示部（図示せず）とを、本体部１３の下端部に設けた。この場合には、外装部２６を取り外さずに、装着した状態で回転させることにより交換時期を変更させる方法が適している。
また、図８は第一実施形態による浄水装置１の第三変形例を示すものであり、表示窓部２２を有する円板状の外装部２７とその内側に設けた交換時期の月Ｍを表示した円板状の内側表示部（図示せず）とを、操作部１０の端面に設けた。この場合には、外装部２７は操作部１０から取り外して内側表示部を回転させることで交換時期を変更させてもよいし、外装部２７を取り外さずに装着した状態で回転させることにより交換時期を変更させるようにしてもよい。
【００３０】
このように、各外装部２５，２６，２７の表示窓部２２と交換時期の月Ｍを表示した内側表示部とは水栓本体２の適宜の見やすい位置に設置することができる。しかも、各外装部２５，２６，２７と内側表示部を装着した内面部は通水路３ａとは異なる位置に設置したため、水の浸入や外装部２５，２６，２７の取り外し時における漏水を防止できる。
【００３１】
なお、上述した実施形態では、内側表示部１８等による交換時期を月Ｍで表示したが、これに代えて年でもよく、或いは年月日でもよく、適宜の交換時期の表示を行える。
また、本体部１３の内面部１７に設けた係止突起２０と外管１４に設けた凹部２３に代えて、内面部１７に凹部２３を設け、外管１４に係止突起２０を設けてもよく、これら係止突起２０と凹部２３は位置規制部を構成する。
また、上述した各実施形態や変形例は浄水を吐水する浄水装置について説明したが、浄水だけでなく原水や湯を選択的に吐水できる複合水栓を備えた浄水装置にも採用できる。
【符号の説明】
【００３２】
１  浄水装置
２  水栓本体
３  吐水管
６  浄化フィルタ
１０  操作部
１３  本体部
１４  外管
１７  内面部
１７ａ  装着面
１７ｂ  凸部
１８  内側表示部
１８ａ  溝部
２０  係止突起
２２  表示窓部
２３  凹部
２５，２６、２７  外装部
Ｍ  交換時期の月
【図１】
2015136638.tif 000003
【図２】
2015136638.tif 000004
【図３】
2015136638.tif 000005
【図４】
2015136638.tif 000006
【図５】
2015136638.tif 000007
【図６】
2015136638.tif 000008
【図７】
2015136638.tif 000009
【図８】
2015136638.tif 000010
【図９】
2015136638.tif 000011